(57)【要約】【課題】サイズをコンパクトに維持しながら選択還元型ＮＯｘ触媒に還元剤を均一に供給する排気ガス浄化装置を提供する。【解決手段】モータ１８が起動すると、モータ１８の動力が伝動部材１９を介してピニオン２０に伝わり、ピニオン２０がラック２１と噛み合いながら回転することにより、選択還元型ＮＯｘ触媒５が排気管２の軸方向に関して回転する。噴射ノズル７から尿素水が供給される際、選択還元型ＮＯｘ触媒５が回転しているので、供給された尿素水が触媒担体１２の端面１２ａに当たる位置が毎回異なるようになる。そうすると、比較的長い期間で見たときに、供給された尿素水は端面１２ａに均一に当たるようになり、触媒担体１２に形成された複数の通気孔１３のそれぞれに均一に尿素水が供給されるようになる。【選択図】図２
2011007057.tif 000002
【特許請求の範囲】
【請求項１】
内燃機関から排出された排気ガスが流通する排気管と、
該排気管に回転可能に設けられ還元剤によって排気ガス中のＮＯｘを浄化する選択還元型ＮＯｘ触媒と、
該選択還元型ＮＯｘ触媒に還元剤を供給する還元剤供給部と
を備える排気ガス浄化装置。
【請求項２】
前記選択還元型ＮＯｘ触媒を回転させるためのモータを備える、請求項１に記載の排気ガス浄化装置。
【請求項３】
前記排気管を流れる前記排気ガスによって前記選択還元型ＮＯｘ触媒を回転させる、請求項１に記載の排気ガス浄化装置。
【請求項４】
前記排気ガスの流れを回転運動に変換して前記選択還元型ＮＯｘ触媒を回転させる回転変換部材を備える、請求項３に記載の排気ガス浄化装置。
【請求項５】
前記選択還元型ＮＯｘ触媒の端面には、前記選択還元型ＮＯｘ触媒の軸線に垂直に交わる面に対して回転方向に傾斜した傾斜面が形成されている、請求項３に記載の排気ガス浄化装置。
【請求項６】
前記選択還元型ＮＯｘ触媒には、複数の通気孔が形成され、
該複数の通気孔の一部は、前記選択還元型ＮＯｘの軸線とねじれの位置にある、請求項３に記載の排気ガス浄化装置。
【請求項７】
前記排気管に、回転可能に接続されたケース部を備え、
前記選択還元型ＮＯｘ触媒は前記ケース部に収容され、前記選択還元型ＮＯｘ触媒は前記ケース部と共に回転する、請求項１〜６のいずれか一項に記載の排気ガス浄化装置。
【請求項８】
前記還元剤供給部は、前記排気管の軸方向に延びる回転軸に対してずれた方向に還元剤を噴射する、請求項１〜７のいずれか一項に記載の排気ガス浄化装置。
【発明の詳細な説明】
【技術分野】
【０００１】
この発明は、排気ガス浄化装置に係り、特に、還元剤によって排気ガス中の窒素酸化物（ＮＯｘ）を浄化する選択還元型ＮＯｘ触媒を有する排気ガス浄化装置に関する。
【背景技術】
【０００２】
特許文献１には、トラックに搭載された従来の排気ガス浄化装置が記載されている。この排気ガス浄化装置は、前段酸化触媒と、ディーゼルパティキュレートフィルタ（ＤＰＦ）と、選択還元ＮＯｘ触媒と、後段酸化触媒とから構成されている。ＤＰＦと選択還元型ＮＯｘ触媒との間には、添加剤であるユリア水を選択還元型ＮＯｘ触媒に供給するインジェクタが設けられ、インジェクタと選択還元型ＮＯｘ触媒との間には、ミキサが設けられている。インジェクタから噴射されたユリア水は、ミキサによって良好に拡散するため、選択還元型ＮＯｘ触媒の端面に均一に当たるようになる。
【先行技術文献】
【特許文献】
【０００３】
【特許文献１】特開２００７−２３９４８６号公報
【発明の概要】
【発明が解決しようとする課題】
【０００４】
しかしながら、トラックに搭載された排気ガス浄化装置では、排気ガス浄化装置の各構成要素を配置するスペースに比較的余裕があるため、インジェクタと選択還元型ＮＯｘ触媒との間にミキサを設けることができるが、例えば普通乗用車に搭載する排気ガス浄化装置では、各構成要素を配置するスペースに余裕がないため、これら必須の構成要素に加えて、ミキサのような付加的な構成要素を追加できないといった問題点があった。
【０００５】
この発明はこのような問題点を解決するためになされたもので、サイズをコンパクトに維持しながら選択還元型ＮＯｘ触媒に還元剤を均一に供給する排気ガス浄化装置を提供することを目的とする。
【課題を解決するための手段】
【０００６】
この発明に係る排気ガス浄化装置は、内燃機関から排出された排気ガスが流通する排気管と、排気管に回転可能に設けられ還元剤によって排気ガス中のＮＯｘを浄化する選択還元型ＮＯｘ触媒と、選択還元型ＮＯｘ触媒に還元剤を供給する還元剤供給部とを備える。選択還元型ＮＯｘ触媒が回転することにより、還元剤供給部から供給された還元剤は、選択還元型ＮＯｘ触媒の端面に当たる位置が毎回異なるので、選択還元型ＮＯｘ触媒の端面に添加剤が均一に当たるようになる。
選択還元型ＮＯｘ触媒を回転させるためのモータを備えてもよい。
排気管を流れる排気ガスによって選択還元型ＮＯｘ触媒を回転させてもよい。
排気ガスの流れを回転運動に変換して選択還元型ＮＯｘ触媒を回転させる回転変換部材を備えてもよい。
選択還元型ＮＯｘ触媒の端面には、排気管の軸線に垂直に交わる面に対して回転方向に傾斜した傾斜面が形成されていてもよい。
選択還元型ＮＯｘ触媒には、複数の通気孔が形成され、複数の通気孔の一部は、選択還元型ＮＯｘの軸線とねじれの位置にあってもよい。
排気管に、回転可能に接続されたケース部を備え、選択還元型ＮＯｘ触媒はケース部に収容され、選択還元型ＮＯｘ触媒はケース部と共に回転してもよい。
還元剤供給部は、前記排気管の軸方向に延びる回転軸に対してずれた方向に還元剤を噴射してもよい。
【発明の効果】
【０００７】
この発明によれば、選択還元型ＮＯｘ触媒が回転することにより、還元剤供給部から供給された還元剤は、選択還元型ＮＯｘ触媒の端面に当たる位置が毎回異なるので、選択還元型ＮＯｘ触媒の端面に還元剤が均一に当たるようになり、選択還元型ＮＯｘ触媒に還元剤を均一に供給することができる。また、付加的な構成要素を追加する必要がないので、排気ガス浄化装置のサイズをコンパクトに維持することができる。
【図面の簡単な説明】
【０００８】
【図１】この発明の実施の形態１に係る排気ガス浄化装置の構成模式図である。
【図２】実施の形態１に係る排気ガス浄化装置を構成する選択還元型ＮＯｘ触媒の詳細図である。
【図３】実施の形態２に係る排気ガス浄化装置を構成する選択還元型ＮＯｘ触媒の詳細図である。
【図４】実施の形態２に係る排気ガス浄化装置を構成する選択還元型ＮＯｘ触媒の上流側から見た正面図である。
【図５】実施の形態２に係る排気ガス浄化装置を構成する選択還元型ＮＯｘ触媒の変形例の詳細図である。
【図６】実施の形態３に係る排気ガス浄化装置を構成する選択還元型ＮＯｘ触媒の触媒担体の斜視図である。
【図７】実施の形態３に係る排気ガス浄化装置を構成する選択還元型ＮＯｘ触媒の触媒担体の扇形部の傾斜の構成を説明するための模式図である。
【図８】実施の形態４に係る排気ガス浄化装置を構成する選択還元型ＮＯｘ触媒の触媒担体の斜視図及び断面図である。
【図９】実施の形態５に係る排気ガス浄化装置を構成する選択還元型ＮＯｘ触媒の詳細図である。
【発明を実施するための形態】
【０００９】
以下、この発明の実施の形態を添付図面に基づいて説明する。
実施の形態１．
この発明の実施の形態１に係る排気ガス浄化装置の構成模式図を図１に示す。内燃機関であるディーゼルエンジン１から排出された排気ガスが流通する排気管２に、酸化触媒３と、ＤＰＦ４と、選択還元型ＮＯｘ触媒５と、酸化触媒６とが設けられている。ＤＰＦ４と選択還元型ＮＯｘ触媒５との間には、尿素水を噴射する噴射ノズル７が設けられており、噴射ノズル７は、配管８を介して、尿素水を貯留する尿素水タンク９に連通している。ここで、尿素水は還元剤を構成し、噴射ノズル７は、尿素水を供給する還元剤供給部を構成する。配管８には、尿素水タンク９内の尿素水を噴射ノズル７に供給するための尿素水添加システム１０が設けられている。尿素水添加システム１０は、制御装置であるＥＣＵ１４に電気的に接続されている。
【００１０】
図２に、選択還元型ＮＯｘ触媒５の詳細図を示す。選択還元型ＮＯｘ触媒５は、排気管２の一部の壁厚を他の部分より薄くすることにより形成された収容部１１に収容されている。選択還元型ＮＯｘ触媒５は、炭化ケイ素（ＳｉＣ）からなる円柱形状の触媒担体１２を有している。触媒担体１２には、一方の端面１２ａから他方の端面１２ｂまで触媒担体１２の軸方向に沿って貫通する複数の通気孔１３が形成され、通気孔１３の内周面には、選択還元触媒の触媒成分が担持されている。
【００１１】
触媒担体１２は、その側面が、耐熱性材料からなる円筒状のカバー部１５で覆われるようにして、カバー部１５と接合されている。カバー部１５の側面には、複数のコロ１６が設けられている。コロ１６が、収容部１１に形成された円環状の溝部１７内に位置して溝部１７に沿って摺動することにより、選択還元型ＮＯｘ触媒５は、収容部１１において、排気管２の軸方向に延びる回転軸Ｌを中心に（矢印Ａの方向に）回転可能となっている。
【００１２】
また、選択還元型ＮＯｘ触媒５の下流側には、排気管２の外部にモータ１８が設けられている。モータ１８の動力部には、伝動部材１９の一端が接続され、伝動部材１９の他端は、排気管２の壁を貫通して排気管２の内部に位置するように延びると共に、ピニオン２０が設けられている。カバー部１５の下流側の端面１５ｂには、ピニオン２０が噛合う円環状のラック２１が設けられている。
【００１３】
次に、この実施の形態１に係る排気ガス浄化装置の動作について説明する。
図１に示されるように、ディーゼルエンジン１の始動後、排出された排気ガスは、排気管２を流通する。排気ガスが酸化触媒３を流通することにより、排気ガス中の一酸化窒素（ＮＯ）の一部が二酸化窒素（ＮＯ２）に酸化される。続いて排気ガスがＤＰＦ４を流通することにより、排気ガス中のパティキュレートマター（ＰＭ）がＤＰＦ４に捕捉される。ＥＣＵ１４は適切なタイミングで尿素水添加システム１０を作動させ、尿素水タンク９内の尿素水を、配管８を介して噴射ノズル７に供給し、噴射ノズル７から尿素水が間欠的に選択還元型ＮＯｘ触媒５に供給される。
【００１４】
図２に示されるように、モータ１８が起動すると、モータ１８の動力が伝動部材１９を介してピニオン２０に伝わり、ピニオン２０がラック２１と噛み合いながら回転することにより、選択還元型ＮＯｘ触媒５が矢印Ａの方向に回転する。噴射ノズル７から尿素水が供給される際、選択還元型ＮＯｘ触媒５が回転しているので、供給された尿素水が触媒担体１２の端面１２ａに当たる位置が毎回異なるようになる。そうすると、比較的長い期間で見たときに、供給された尿素水は端面１２ａに均一に当たるようになり、触媒担体１２に形成された複数の通気孔１３のそれぞれに均一に尿素水が供給されるようになる。尚、噴射ノズル７から尿素水が噴射される噴射方向Ｂは、回転軸Ｌに対してずれている。噴射方向Ｂが回転軸Ｌに対してずれていれば、噴射方向Ｂが回転軸Ｌと平行な場合に比べて、還元剤の拡散が良好になる。
【００１５】
選択還元型ＮＯｘ触媒５に添加された尿素水は加水分解されてアンモニア（ＮＨ３）と二酸化炭素（ＣＯ２）となり、生成したＮＨ３と排ガス中のＮＯｘとが反応して、窒素（Ｎ２）及び水（Ｈ２Ｏ）となる。選択還元型ＮＯｘ触媒５において消費されずに残ったＮＨ３は、酸化触媒６において酸化される。実施の形態１に係る排気ガス浄化装置によってＮＯｘが浄化された排気ガスは、排気管２を流通して大気中へ排気される。
【００１６】
このように、噴射ノズル７から尿素水が供給される際に、排気管２の軸方向に延びる回転軸Ｌを中心に選択還元型ＮＯｘ触媒５が回転することにより、噴射ノズル７から供給された尿素水は、選択還元型ＮＯｘ触媒５の触媒担体１２の端面１２ａに当たる位置が毎回異なるので、触媒担体１２の端面１２ａに尿素水が均一に当たるようになり、選択還元型ＮＯｘ触媒５に尿素水を均一に供給することができる。また、付加的な構成要素を追加する必要がないので、排気ガス浄化装置のサイズをコンパクトに維持することができる。
【００１７】
実施の形態２．
次に、この発明の実施の形態２に係る排気ガス浄化装置について説明する。尚、以下の実施の形態において、図１及び２の参照符号と同一の符号は、同一又は同様な構成要素であるので、その詳細な説明は省略する。
この発明の実施の形態２に係る排気ガス浄化装置は、実施の形態１に対して、排気管２を流れる排気ガスによって選択還元型ＮＯｘ触媒５を回転させるようにしたものである。
【００１８】
図３及び４に示されるように、触媒担体１２の端面１２ａには、複数のフィン３０が円環状に配置されている。複数のフィン３０に、排気管２を流れる排気ガスが当たると、複数のフィン３０は回転力を発生し、これにより、選択還元型ＮＯｘ触媒５が排気管２の軸方向に延びる回転軸Ｌを中心に回転するようになっている。ここで、フィン３０は、排気ガスの流れを回転運動に変換して選択還元型ＮＯｘ触媒５を回転させるための回転変換部材を構成する。その他の構成については、実施の形態１におけるモータ１８と、伝動部材１９と、ピニオン２０と、ラック２１とがないことを除いて、実施の形態１と同じである。
【００１９】
排気管２を排気ガスが流れ、排気ガスがフィン３０に当たると、選択還元型ＮＯｘ触媒５が排気管２の軸方向に延びる回転軸Ｌを中心に回転する。すると、実施の形態１と同様に、噴射ノズル７から尿素水が供給される際に、排気管２の軸方向に関して選択還元型ＮＯｘ触媒５が回転することになる。従って、実施の形態２においても、実施の形態１と同様の効果を得ることができる。
【００２０】
実施の形態２では、回転変換部材は、触媒担体１２の端面１２ａに円環状に配置された複数のフィン３０であったが、これに限定するものではない。排気ガスの流れを回転運動に変換して選択還元型ＮＯｘ触媒５を回転させることができるものであればどのようなものでもよく、例えば、図５に示されるように、触媒担体１２の端面１２ａの中心部から排気管２の軸方向に沿って上流方向に延びた軸３１ａと、軸３１ａの先端に設けられた羽部３１ｂとからなるプロペラ３１であってもよい。
【００２１】
実施の形態３．
次に、この発明の実施の形態３に係る排気ガス浄化装置について説明する。
この発明の実施の形態３に係る排気ガス浄化装置は、実施の形態１に対して、排気管２を流れる排気ガスによって選択還元型ＮＯｘ触媒５を回転させるように、触媒担体の形状を変更したものである。
【００２２】
図６に示されるように、触媒担体５０の端面５０ａは、４つの扇形部４１，４２，４３，４４に分割されている。扇形部４１は、第１直線部４１ａ及び第２直線部４１ｂと、第１直線部４１ａ及び第２直線部４１ｂのそれぞれの一方の端部が接続されて構成された頂点４１ｃと、第１直線部４１ａ及び第２直線部４１ｂのそれぞれの他方の端部同士を円弧状に連結した円弧部４１ｄとを含む平面から構成されている。
【００２３】
ここで、頂点４１ｃを通り触媒担体５０の軸方向に延びる軸線Ｌ’を想定する。図７に示されるように、軸線Ｌ’及び第１直線部４１ａを含む仮想平面Ｓ１上において、第１直線部４１ａが軸線Ｌ’に対してなす角度θ１は９０°であり、一方、軸線Ｌ’及び第２直線部４１ｂを含む仮想平面Ｓ２上において、第２直線部４１ｂが軸線Ｌ’に対してなす角度θ２は鋭角である。すなわち、第２直線部４１ｂは、軸線Ｌ’に垂直で第１直線部４１ａを含む仮想平面Ｓ３と仮想平面Ｓ２との交線Ｌ”に対して、第２直線部４１ｂの円弧部４１ｄ側の端部が第２直線部４１ｂの頂点４１ｃ側の端部よりも排気管２の下流側に位置するように傾斜している。この構成により、図６に示されるように、扇形部４１は、第１直線部４１ａから第２直線部４１ｂに向かって傾斜している。すなわち、扇形部４１は、軸線Ｌ’に垂直に交わる面に対して触媒担体５０の回転方向（円周方向）に傾斜した傾斜面４５を有している。他の３つの扇形部４２〜４４も同様の形状を有している。その他の構成については、実施の形態１におけるモータ１８と、伝動部材１９と、ピニオン２０と、ラック２１とがないことを除いて、実施の形態１と同じである。
【００２４】
排気管２を流れる排気ガスが触媒担体５０の端面５０ａに当たると、４つの扇形部４１〜４４は回転力を発生し、これにより、選択還元型ＮＯｘ触媒５が排気管２の軸方向に関して回転するようになる。従って、実施の形態３においても、実施の形態１と同様の効果を得ることができる。
【００２５】
実施の形態３では、触媒担体５０の端面５０ａは、４つの扇形部４１〜４４に分割されていたが、４つに限定するものではなく、いくつに分割されていてもよい。また、仮想平面Ｓ１上において、第１直線部４１ａが軸線Ｌに対してなす角度θ１は９０°であったが、９０°に限定するものではない。第１直線部４１ａから第２直線部４１ｂに向かって傾斜していればよいから、角度θ１は、角度θ２よりも大きい角度であれば、鋭角でも鈍角でもよい。
【００２６】
実施の形態４．
次に、この発明の実施の形態４に係る排気ガス浄化装置について説明する。
この発明の実施の形態４に係る排気ガス浄化装置は、実施の形態１に対して、排気管２を流れる排気ガスによって選択還元型ＮＯｘ触媒５を回転させるように、触媒担体に形成された通気孔の形状を変更したものである。
【００２７】
図８（ａ）に示されるように、触媒担体６０は、扇形形状の断面を有し同一の形状の４つの担体片５１ａ，５１ｂ，５１ｃ，５１ｄが接合されて円柱形状に構成されている。担体片５１ａ及び担体片５１ｂの接合部５２ａと、担体片５１ｂ及び担体片５１ｃの接合部５２ｂと、担体片５１ｃ及び担体片５１ｄの接合部５２ｃと、担体片５１ｄ及び担体片５１ａの接合部５２ｄとにはそれぞれ、触媒担体６０の軸線Ｌ’に平行に触媒担体６０の一方の端面６０ａから他方の端面６０ｂまで貫通する通気孔５３が形成されている。また、担体片５１ａ〜５１ｄにはそれぞれ、外周面付近に、触媒担体６０の軸線Ｌ’に平行に触媒担体６０の端面６０ａから端面６０ｂまで貫通する通気孔５４が形成されている。
【００２８】
図８（ｂ）に示されるように、担体片５１ａ〜５１ｄにはそれぞれ、通気孔５３及び５４に取り囲まれるようにして、複数の通気孔５５が形成されている。通気孔５５は、端面６０ａから端面６０ｂに向かって触媒担体６０の半径方向外側に斜めに傾いている。また、複数の通気孔５５は、触媒担体６０の回転方向（円周方向）にも斜めに傾いている。すなわち、各通気孔５５は、触媒担体６０の軸線Ｌ’とねじれの位置にある。複数の通気孔５５には、それらが設けられた位置に応じて、一端が端面６０ａに開口すると共に他端が端面６０ｂに開口するものと、一端が端面６０ａに開口すると共に他端が通気孔５３または５４に連通するものとがある。その他の構成については、実施の形態１におけるモータ１８と、伝動部材１９と、ピニオン２０と、ラック２１とがないことを除いて、実施の形態１と同じである。
【００２９】
排気管２を流れる排気ガスは、通気孔５３，５４，５５のいずれかを通って選択還元型ＮＯｘ触媒５内を流通する。通気孔５３，５４は、選択還元型ＮＯｘ触媒５の軸方向と平行であるので、通気孔５３，５４を流通する排気ガスは、選択還元型ＮＯｘ触媒５に対して何の変動も生じさせない。しかし、通気孔５５は、端面６０ａから端面６０ｂに向かって選択還元型ＮＯｘ触媒５の半径方向外側に斜めに傾いているので、通気孔５５内の排気ガスは、通気孔５５に沿って選択還元型ＮＯｘ触媒５の半径方向外側に斜めに流通する。また、通気孔５５は、触媒担体６０の回転方向（円周方向）にも斜めに傾いているので、通気孔５５内の排気ガスは、通気孔５５に沿って、選択還元型ＮＯｘ触媒５の回転方向（円周方向）に斜めに流通する。他端が端面６０ｂに開口しないで通気孔５３または５４に連通する通気孔５５を流れる排気ガスは、通気孔５５に沿って選択還元型ＮＯｘ触媒５の半径方向外側に斜め及び選択還元型ＮＯｘ触媒５の回転方向（円周方向）に斜めに流通した後、通気孔５３または５４に入り込んで、通気孔５３または５４を流通する。通気孔５５内の排気ガスのこの流れによって、選択還元型ＮＯｘ触媒５は、選択還元型ＮＯｘ触媒５の半径方向外側及び選択還元型ＮＯｘ触媒５の回転方向（円周方向）に向かって力が生じるので、選択還元型ＮＯｘ触媒５は、収容部１１内において、排気管２の軸方向に関して回転するようになる。従って、実施の形態４においても、実施の形態１と同様の効果を得ることができる。
【００３０】
ただし、複数の通気孔５５のうち、選択還元型ＮＯｘ触媒５に左回転を生じさせるものと、右回転を生じさせるものとが打ち消し合ってしまうような構成では、選択還元型ＮＯｘ触媒５は回転しないので、全ての通気孔５５によって選択還元型ＮＯｘ触媒５に左右どちらか一方の回転を付すような構成にすることが必要である。好ましくは、全ての通気孔５５がそれぞれ、左右どちらか一方の同一方向の回転を付すような構成にすべきである。
【００３１】
実施の形態５．
次に、この発明の実施の形態５に係る排気ガス浄化装置について説明する。
この発明の実施の形態５に係る排気ガス浄化装置は、実施の形態１に対して、選択還元型ＮＯｘ触媒が収容される収容部を、排気管２とは別体のケースとして、選択還元型ＮＯｘ触媒とこのケースとが一緒に回転するようにしたものである。
【００３２】
図９に示されるように、選択還元型ＮＯｘ触媒７５は、触媒担体１２と、触媒担体１２を内部に収容する円筒状のケース７０とから構成され、ケース７０が排気管２の一部分を構成するようにして、排気管２に設けられている。ケース７０と排気管２との間には、複数のコロ７１が設けられ、これにより、ケース７０は触媒担体１２と共に、排気管２に対して、排気管２の軸方向に延びる回転軸Ｌを中心に回転可能になっている。ケース７０と排気管２との接続部分は、外周面側及び内周面側の両方から、シール７２によって、密封されている。ケース７０の外部には、モータ７３が設けられている。モータ７３には、モータ７３の動力によって回転するピニオン７３ａが設けられている。ケース７０の側面には、ピニオン７３ａが噛合う円環状のラック７４が設けられている。その他の構成については、実施の形態１と同じである。
【００３３】
モータ７３が起動すると、モータ７３の動力によってピニオン７３ａがラック７４と噛み合いながら回転することにより、選択還元型ＮＯｘ触媒７５が排気管２の軸方向に延びる回転軸Ｌを中心に回転する。従って、実施の形態５においても、実施の形態１と同様の効果を得ることができる。
【００３４】
実施の形態５では、選択還元型ＮＯｘ触媒７５を、モータ７３によって回転させているが、この形態に限定するものではない。実施の形態２のように、触媒担体１２の端面１２ａにフィン３０やプロペラ３１を設けて、排気管２を流れる排気ガスによって選択還元型ＮＯｘ触媒７５を回転させてもよく、また、実施の形態３や４のように、端面１２ａの形状や通気孔５５も形状を変えることにより、排気管２を流れる排気ガスによって選択還元型ＮＯｘ触媒７５を回転させてもよい。
【符号の説明】
【００３５】
１  ディーゼルエンジン（内燃機関）、２  排気管、５，７５  選択還元型ＮＯｘ触媒、７  噴射ノズル（還元剤供給部）、１２ａ  （触媒担体１２の）端面、１８，７３  モータ、３０  フィン（回転変換部材）、３１  プロペラ（回転変換部材）、４５  傾斜面、５３，５４，５５  通気孔、７０  ケース、Ｌ  回転軸、Ｌ’  軸線。
【図１】
2011007057.tif 000003
【図２】
2011007057.tif 000004
【図３】
2011007057.tif 000005
【図４】
2011007057.tif 000006
【図５】
2011007057.tif 000007
【図６】
2011007057.tif 000008
【図７】
2011007057.tif 000009
【図８】
2011007057.tif 000010
【図９】
2011007057.tif 000011